【手続補正書】
【提出日】平成29年8月17日(2017.8.17)
【手続補正１】
【補正対象書類名】特許請求の範囲
【補正対象項目名】全文
【補正方法】変更
【補正の内容】
【特許請求の範囲】
【請求項１】
相変化インクであって、
（Ｉ）相変化インク担体と；
（ＩＩ）下式の着色剤化合物
【化１】
2015044991.tif 000001
とを含み、式中、
（ａ）Ｘ１、Ｘ２およびＸ３は、それぞれ他と独立して、−Ｏ−、−Ｓ−、−ＳＯ−または−ＳＯ２−であり；
（ｂ）Ｒ１、Ｒ２およびＲ３は、それぞれ他と独立して、
（１）置換および非置換のアルキルを含め、ヘテロ原子が場合によりアルキル中に存在してもよい、アルキル；
（２）置換および非置換のアリールを含め、ヘテロ原子が場合によりアリール中に存在してもよい、アリール；
（３）置換および非置換のアリールアルキルを含め、ヘテロ原子が場合によりアリールアルキルのアリール部分またはアルキル部分のいずれかに存在してもよい、アリールアルキル；または
（４）置換および非置換のアルキルアリールを含め、ヘテロ原子が場合によりアルキルアリールのアリール部分またはアルキル部分のいずれかに存在してもよい、アルキルアリール；
であり、
（ｃ）Ｚは、
（１）ハロゲン；
（２）−ＯＲ４〔式中、Ｒ４は、
（Ａ）置換および非置換のアルキルを含め、ヘテロ原子が場合によりアルキル中に存在してもよい、アルキル；
（Ｂ）置換および非置換のアリールを含め、ヘテロ原子が場合によりアリール中に存在してもよい、アリール；
（Ｃ）置換および非置換のアリールアルキルを含め、ヘテロ原子が場合によりアリールアルキルのアリール部分またはアルキル部分のいずれかに存在してもよい、アリールアルキル；または
（Ｄ）置換および非置換のアルキルアリールを含め、ヘテロ原子が場合によりアルキルアリールのアリール部分またはアルキル部分のいずれかに存在してもよい、アルキルアリール；
である〕；
【化２】
2015044991.tif 000002
〔式中、Ｒ５は、
（Ａ）置換および非置換のアルキルを含め、ヘテロ原子が場合によりアルキル中に存在してもよい、アルキル；
（Ｂ）置換および非置換のアリールを含め、ヘテロ原子が場合によりアリール中に存在してもよい、アリール；
（Ｃ）置換および非置換のアリールアルキルを含め、ヘテロ原子が場合によりアリールアルキルのアリール部分またはアルキル部分のいずれかに存在してもよい、アリールアルキル；または
（Ｄ）置換および非置換のアルキルアリールを含め、ヘテロ原子が場合によりアルキルアリールのアリール部分またはアルキル部分のいずれかに存在してもよい、アルキルアリール；
である〕；または
【化３】
2015044991.tif 000003
〔式中、Ｒ６は、
（Ａ）置換および非置換のアルキルを含め、ヘテロ原子が場合によりアルキル中に存在してもよい、アルキル；
（Ｂ）置換および非置換のアリールを含め、ヘテロ原子が場合によりアリール中に存在してもよい、アリール；
（Ｃ）置換および非置換のアリールアルキルを含め、ヘテロ原子が場合によりアリールアルキルのアリール部分またはアルキル部分のいずれかに存在してもよい、アリールアルキル；または
（Ｄ）置換および非置換のアルキルアリールを含め、ヘテロ原子が場合によりアルキルアリールのアリール部分またはアルキル部分のいずれかに存在してもよい、アルキルアリール；
である〕；
である、相変化インク。
【請求項２】
前記着色剤化合物は、前記インク中、前記インクの少なくとも０．１重量％の量で存在する、請求項１に記載のインク。
【請求項３】
前記着色剤化合物は、前記インク中、前記インクの２０重量％以下の量で存在する、請求項１に記載のインク。
【請求項４】
前記担体が、分枝鎖トリアミドを含む、請求項１に記載のインク。
【請求項５】
前記分枝鎖トリアミドは、下式
【化４】
2015044991.tif 000004
を有し、式中、ｘ、ｙおよびｚは、それぞれ独立して、プロピレンオキシ繰り返し単位の数をあらわし、ｘ＋ｙ＋ｚは、５〜６であり、ｐ、ｑおよびｒは、繰り返し−（ＣＨ２）−単位の数をあらわす整数であり、ｐ、ｑおよびｒは、それぞれ他と独立して、３４〜４０である、請求項４に記載のインク。
【請求項６】
前記担体は、アモルファス要素と結晶性要素とを含む、請求項１に記載のインク。
【請求項７】
−Ｘ１−Ｒ１、−Ｘ２−Ｒ２および−Ｘ３−Ｒ３は、
【化５】
2015044991.tif 000005
〔式中、ｍは、繰り返しＣＨ２単位の数をあらわす整数である〕；
【化６】
2015044991.tif 000006
〔式中、ｑは、繰り返しＣＨ２単位の数をあらわす整数である〕；
【化７】
2015044991.tif 000007
〔式中、ｐは、繰り返しＣＨ２単位の数をあらわす整数である〕；
【化８】
2015044991.tif 000008
〔式中、ｎは、繰り返しＣＨ２単位の数をあらわす整数である〕；または
（ｅ）これらの組み合わせである、請求項１に記載のインク。
【請求項８】
−Ｘ１−Ｒ１、−Ｘ２−Ｒ２および−Ｘ３−Ｒ３は、それぞれ、
【化９】
2015044991.tif 000009
である、請求項１に記載のインク。
【請求項９】
−Ｘ１−Ｒ１、−Ｘ２−Ｒ２および−Ｘ３−Ｒ３は、それぞれ、
【化１０】
2015044991.tif 000010
であり、ｎは、８〜５０の整数である、請求項１に記載のインク。
【請求項１０】
Ｚが、
−Ｃｌ；
−ＯＣＨ３；
【化１１】
2015044991.tif 000011
【化１２】
2015044991.tif 000012
またはこれらの混合物である、請求項１に記載のインク。
【請求項１１】
着色剤は、下式
【化１３】
2015044991.tif 000013
【化１４】
2015044991.tif 000014
【化１５】
2015044991.tif 000015
【化１６】
2015044991.tif 000016
【化１７】
2015044991.tif 000017
【化１８】
2015044991.tif 000018
【化１９】
2015044991.tif 000019
【化２０】
2015044991.tif 000020
を有するか、またはこれらの混合物である、請求項１に記載のインク。
【請求項１２】
前記着色剤化合物のＬ＊値が、少なくとも４０であり、６０以下である、請求項１に記載のインク。
【請求項１３】
前記着色剤化合物のａ＊値が、少なくとも３５であり、５３以下である、請求項１に記載のインク。
【請求項１４】
前記着色剤化合物のｂ＊値が、少なくとも−２４であり、−４０以下である、請求項１に記載のインク。
【請求項１５】
前記着色剤化合物のｃ＊値が、少なくとも４９であり、６０以下である、請求項１に記載のインク。
【請求項１６】
前記着色剤化合物は、前記インク担体への溶解度が、２５℃〜１３０℃の温度で少なくとも０．１ｇ／１００ｇである、請求項１に記載のインク。
【請求項１７】
相変化インクであって、
（Ｉ）相変化インク担体と；
（ＩＩ）下式の着色剤化合物
【化２１】
2015044991.tif 000021
とを含み、式中、
（ａ）Ｘ１、Ｘ２およびＸ３は、それぞれ他と独立して、−Ｏ−、−Ｓ−、−ＳＯ−または−ＳＯ２−であり；
（ｂ）Ｒ１、Ｒ２およびＲ３は、それぞれ他と独立して、
（１）置換および非置換のアルキルを含め、ヘテロ原子が場合によりアルキル中に存在してもよい、アルキル；
（２）置換および非置換のアリールを含め、ヘテロ原子が場合によりアリール中に存在してもよい、アリール；
（３）置換および非置換のアリールアルキルを含め、ヘテロ原子が場合によりアリールアルキルのアリール部分またはアルキル部分のいずれかに存在してもよい、アリールアルキル；または
（４）置換および非置換のアルキルアリールを含め、ヘテロ原子が場合によりアルキルアリールのアリール部分またはアルキル部分のいずれかに存在してもよい、アルキルアリール；
であり、
（ｃ）Ｚは、
（１）ハロゲン；
（２）−ＯＲ４〔式中、Ｒ４は、
（Ａ）置換および非置換のアルキルを含め、ヘテロ原子が場合によりアルキル中に存在してもよい、アルキル；
（Ｂ）置換および非置換のアリールを含め、ヘテロ原子が場合によりアリール中に存在してもよい、アリール；
（Ｃ）置換および非置換のアリールアルキルを含め、ヘテロ原子が場合によりアリールアルキルのアリール部分またはアルキル部分のいずれかに存在してもよい、アリールアルキル；または
（Ｄ）置換および非置換のアルキルアリールを含め、ヘテロ原子が場合によりアルキルアリールのアリール部分またはアルキル部分のいずれかに存在してもよい、アルキルアリール；
である〕；
【化２２】
2015044991.tif 000022
〔式中、Ｒ５は、
（Ａ）置換および非置換のアルキルを含め、ヘテロ原子が場合によりアルキル中に存在してもよい、アルキル；
（Ｂ）置換および非置換のアリールを含め、ヘテロ原子が場合によりアリール中に存在してもよい、アリール；
（Ｃ）置換および非置換のアリールアルキルを含め、ヘテロ原子が場合によりアリールアルキルのアリール部分またはアルキル部分のいずれかに存在してもよい、アリールアルキル；または
（Ｄ）置換および非置換のアルキルアリールを含め、ヘテロ原子が場合によりアルキルアリールのアリール部分またはアルキル部分のいずれかに存在してもよい、アルキルアリール；
である〕；または
【化２３】
2015044991.tif 000023
〔式中、Ｒ６は、
（Ａ）置換および非置換のアルキルを含め、ヘテロ原子が場合によりアルキル中に存在してもよい、アルキル；
（Ｂ）置換および非置換のアリールを含め、ヘテロ原子が場合によりアリール中に存在してもよい、アリール；
（Ｃ）置換および非置換のアリールアルキルを含め、ヘテロ原子が場合によりアリールアルキルのアリール部分またはアルキル部分のいずれかに存在してもよい、アリールアルキル；または
（Ｄ）置換および非置換のアルキルアリールを含め、ヘテロ原子が場合によりアルキルアリールのアリール部分またはアルキル部分のいずれかに存在してもよい、アルキルアリール；
である〕；
であり、
前記着色剤化合物の
（ｉ）Ｌ＊値が、４０から６０であり、
（ｉｉ）ａ＊値が、３５から５３であり、
（ｉｉｉ）ｂ＊値が、−２４から−４０であり、
（ｉｖ）ｃ＊値が、４９から６０である、相変化インク。
【請求項１８】
−Ｘ１−Ｒ１、−Ｘ２−Ｒ２および−Ｘ３−Ｒ３は、
【化２４】
2015044991.tif 000024
〔式中、ｍは、繰り返しＣＨ２単位の数をあらわす整数である〕；
【化２５】
2015044991.tif 000025
〔式中、ｑは、繰り返しＣＨ２単位の数をあらわす整数である〕；
【化２６】
2015044991.tif 000026
〔式中、ｐは、繰り返しＣＨ２単位の数をあらわす整数である〕；
【化２７】
2015044991.tif 000027
〔式中、ｎは、繰り返しＣＨ２単位の数をあらわす整数である〕；または
（ｅ）これらの組み合わせである、請求項１７に記載のインク。
【請求項１９】
Ｚが、
−Ｃｌ；
−ＯＣＨ３；
【化２８】
2015044991.tif 000028
【化２９】
2015044991.tif 000029
またはこれらの混合物である、請求項１７に記載のインク。
【請求項２０】
相変化インクであって、
（Ｉ）アミド化合物を含む相変化インク担体と；
（ＩＩ）前記インク中、前記インクの０．１重量％から２０重量％以下の量で存在する下式の着色剤化合物
【化３０】
2015044991.tif 000030
とを含み、式中、
（ａ）Ｘ１、Ｘ２およびＸ３は、それぞれ他と独立して、−Ｏ−、−Ｓ−、−ＳＯ−または−ＳＯ２−であり；
（ｂ）Ｒ１、Ｒ２およびＲ３は、それぞれ他と独立して、
（１）置換および非置換のアルキルを含め、ヘテロ原子が場合によりアルキル中に存在してもよい、アルキル；
（２）置換および非置換のアリールを含め、ヘテロ原子が場合によりアリール中に存在してもよい、アリール；
（３）置換および非置換のアリールアルキルを含め、ヘテロ原子が場合によりアリールアルキルのアリール部分またはアルキル部分のいずれかに存在してもよい、アリールアルキル；または
（４）置換および非置換のアルキルアリールを含め、ヘテロ原子が場合によりアルキルアリールのアリール部分またはアルキル部分のいずれかに存在してもよい、アルキルアリール；
であり、
（ｃ）Ｚは、
（１）ハロゲン；
（２）−ＯＲ４〔式中、Ｒ４は、
（Ａ）置換および非置換のアルキルを含め、ヘテロ原子が場合によりアルキル中に存在してもよい、アルキル；
（Ｂ）置換および非置換のアリールを含め、ヘテロ原子が場合によりアリール中に存在してもよい、アリール；
（Ｃ）置換および非置換のアリールアルキルを含め、ヘテロ原子が場合によりアリールアルキルのアリール部分またはアルキル部分のいずれかに存在してもよい、アリールアルキル；または
（Ｄ）置換および非置換のアルキルアリールを含め、ヘテロ原子が場合によりアルキルアリールのアリール部分またはアルキル部分のいずれかに存在してもよい、アルキルアリール；
である〕；
【化３１】
2015044991.tif 000031
〔式中、Ｒ５は、置換および非置換のアルキルを含め、ヘテロ原子が場合によりアルキル中に存在してもよい、アルキル；または
【化３２】
2015044991.tif 000032
〔式中、Ｒ６は、置換および非置換のアルキルを含め、ヘテロ原子が場合によりアルキル中に存在してもよい、アルキル；である〕；
であり、
前記インクは、
（ｉ）ピーク融点が５０℃から１６０℃であり、
（ｉｉ）融解開始温度が５０℃から６９℃以下であり、
（ｉｉｉ）吐出温度での溶融粘度が、２センチポイズ（ｃｐ）から３０センチポイズ（ｃｐ）である、相変化インク。